(57)【要約】【課題】  設置環境に拘らず安定な動作状態を達成することができ、冷却不足や過冷却の問題を確実に回避できるプロジェクタを提供すること。【解決手段】  主制御部８８は、記憶部８８ａに保管されたプロジェクタ１０の測位データを取り込んで（ステップＳ２３）、これからプロジェクタ１０を設置している場所の標高範囲を決定する（ステップＳ２４）。次に、主制御部８８は、決定された標高範囲に応じて、ファン駆動部８３に適当なパラメータの駆動モードを設定する（ステップＳ２５）。次に、ファン駆動部８３は、標高に応じて設置された駆動モードに応じてファン駆動部８３を動作させ、ランプ光源３１の温度に基づいて冷却ファンユニット１５，１６を駆動する（ステップＳ２６）。【選択図】  図１
2006293120.tif 000002
【特許請求の範囲】
【請求項１】
画像形成及び画像投射用の映像光学系と、前記映像光学系を動作させる映像回路とを有するプロジェクタ本体と、
衛星からの電波信号を受信して前記プロジェクタ本体の位置情報を検出する位置検出装置と、
前記位置検出装置で検出された位置情報に基づいて前記プロジェクタ本体の動作状態を調節する制御装置と
を備えるプロジェクタ。
【請求項２】
前記プロジェクタ本体は、前記プロジェクタ本体の少なくとも一部を構成する対象部品を冷却する空冷装置を含み、前記制御装置は、前記位置検出装置で検出された前記位置情報のうち標高情報に基づいて前記空冷装置の動作状態を調節することを特徴とする請求項１記載のプロジェクタ。
【請求項３】
前記空冷装置は、空冷ファン及びファン駆動部を含み、冷却の対象部品は、前記映像光学系を構成する光源装置であることを特徴とする請求項２記載のプロジェクタ。
【請求項４】
前記対象部品又はその近傍の温度を検出する温度センサをさらに備え、
前記制御装置は、標高に関連付けて前記空冷装置の動作状態を切り替えるための複数の駆動モードを記憶し、
前記空冷装置は、前記温度センサからの温度検出出力に基づいて、前記複数の駆動モードのうち標高に応じて選択された所定の駆動モードで動作することを特徴とする請求項２及び請求項３のいずれか一項記載のプロジェクタ。
【請求項５】
前記位置検出装置は、衛星からの信号に基づいて現在時刻に関する時刻情報を検出することを特徴とする請求項１から請求項４のいずれか一項記載のプロジェクタ。
【請求項６】
所定のネットワークシステムとの間で通信可能に接続される通信制御装置をさらに備え、当該通信制御装置を介して前記所定のネットワークシステムに前記現在時刻に関する情報を提供することを特徴とする請求項５記載のプロジェクタ。
【請求項７】
前記制御装置は、前記位置検出装置で検出された前記位置情報及び前記時刻情報に基づいて前記プロジェクタ本体が使用される明暗に関する環境情報を判断し、当該環境情報に基づいて前記プロジェクタ本体の表示モードを設定することを特徴とする請求項５及び請求項６のいずれか一項記載のプロジェクタ。
【請求項８】
前記制御装置は、前記位置検出装置で検出された前記位置情報に基づいて、前記プロジェクタ本体の動作状態のうち仕向け先に関する動作モードを自動的に設定することを特徴とする請求項１から請求項７のいずれか一項記載のプロジェクタ。
【請求項９】
前記制御装置は、前記位置検出装置で検出された前記位置情報が変化した場合、前記プロジェクタ本体の動作状態の設定を変更することを特徴とする請求項１から請求項８のいずれか一項記載のプロジェクタ。
【請求項１０】
前記制御装置は、前記位置検出装置で検出された前記位置情報が変化した場合、前記プロジェクタ本体の動作を制限することを特徴とする請求項１から請求項９のいずれか一項記載のプロジェクタ。
【請求項１１】
前記制御装置は、パスワードの入力によって動作の制限を解除することを特徴とする請求項１０記載のプロジェクタ。
【請求項１２】
所定のネットワークシステムとの間で通信可能に接続される通信制御装置をさらに備え、当該通信制御装置を介して前記所定のネットワークシステムに前記位置情報を提供することを特徴とする請求項５記載のプロジェクタ。
【請求項１３】
所定のネットワークシステムとの間で通信可能に接続される通信制御装置をさらに備え、当該通信制御装置を介して前記所定のネットワークに接続された他のプロジェクタから位置情報を取得するとともに、当該位置情報に基づいて前記空冷装置の動作状態を調節することを特徴とする請求項２から請求項４のいずれか一項記載のプロジェクタ。
【発明の詳細な説明】
【技術分野】
【０００１】
本発明は、液晶パネル等の光変調装置を用いて画像を投射するプロジェクタに関する。
【背景技術】
【０００２】
プロジェクタの冷却ファンの制御方法として、プロジェクタ内の温度を検出する温度センサと、外気圧を検出する気圧センサとの検出結果に基づいて、冷却ファンの回転数を調節するものが存在する（特許文献１，２参照）。
【０００３】
また、プロジェクタの冷却ファンに関する別の制御方法として、プロジェクタが使用される場所の高度に応じて冷却ファンの動作モードをユーザの操作によって切替可能にしたものも存在する（特許文献３，４参照）。
【特許文献１】特開２０００−１９４０７２号公報
【特許文献２】特開２００２−２５８２３７号公報
【特許文献３】特開２００４−１５７３５６号公報
【特許文献４】特開２００４−２４５９８７号公報
【発明の開示】
【発明が解決しようとする課題】
【０００４】
しかし、気圧センサを用いる方法では、動作を切り替える閾値の気圧に対応する標高では、天候の変化すなわち低気圧や高気圧の通過に伴って冷却ファンの可動状態が変動し、プロジェクタの動作が不安定になり易い。
【０００５】
また、プロジェクタの動作モードをユーザの操作によって切り替える方法では、プロジェクタの機能を熟知しないユーザの設定ミス等に起因して冷却不足や過冷却が生じ、光源ランプ等の寿命を短くする可能性がある。
【０００６】
また、以上のような冷却ファンの適正な動作方法とは異なるが、プロジェクタを設置した場所の精密な時刻、明暗を表す時刻帯、或いは、プロジェクタを設置した地域・国等の環境に応じてプロジェクタを適切に動作させる技術について開示したものはない。
【０００７】
そこで、本発明は、設置環境に拘らず安定な動作状態を達成することができ、冷却不足や過冷却の問題を確実に回避できるプロジェクタを提供することを目的とする。
また、本発明は、プロジェクタを設置した場所の各種環境に簡易に適合した状態で動作することができるプロジェクタを提供することを目的とする。
【課題を解決するための手段】
【０００８】
上記課題を解決するため、本発明に係るプロジェクタは、（ａ）画像形成及び画像投射用の映像光学系と、映像光学系を動作させる映像回路とを有するプロジェクタ本体と、（ｂ）衛星からの電波信号を受信してプロジェクタ本体の位置情報を検出する位置検出装置と、（ｃ）位置検出装置で検出された位置情報に基づいてプロジェクタ本体の動作状態を調節する制御装置とを備える。
【０００９】
上記プロジェクタでは、制御装置が位置検出装置で検出された位置情報に基づいてプロジェクタ本体の動作状態を調節するので、標高等の設置環境に適合させてプロジェクタ本体を適宜動作させることができる。つまり、プロジェクタを設置環境に適合した状態で長期間安定して動作させることができる。
【００１０】
本発明の具体的側面又は態様では、上記プロジェクタにおいて、プロジェクタ本体が、プロジェクタ本体の少なくとも一部を構成する対象部品を冷却する空冷装置を含み、制御装置が、位置検出装置で検出された位置情報のうち標高情報に基づいて空冷装置の動作状態を調節する。この場合、プロジェクタを設置する標高の空冷効率に応じて空冷装置を動作させることができ、対象部品を適切な温度状態に管理することができる。なお、天候に起因する気圧変動の影響を受けることなく空冷装置を動作させることができるので、プロジェクタの安定的動作を確保することができる。
【００１１】
本発明の別の具体的側面又は態様では、空冷装置が、空冷ファン及びファン駆動部を含み、冷却の対象部品が、映像光学系を構成する光源装置である。この場合、空冷ファンの回転数を調節することによって、光源の温度を管理することができる。
【００１２】
本発明の別の具体的態様では、対象部品又はその近傍の温度を検出する温度センサをさらに備え、制御装置が、標高に関連付けて空冷装置の動作状態を切り替えるための複数の駆動モードを記憶し、空冷装置が、温度センサからの温度検出出力に基づいて、複数の駆動モードのうち標高に応じて選択された所定の駆動モードで動作する。この場合、標高範囲に応じた複数の駆動モードを準備することにより、プロジェクタを設置する標高に応じて、温度センサからの温度検出出力を用いた温度制御を適切なものとすることができる。
【００１３】
本発明の別の具体的態様では、位置検出装置が、衛星からの信号に基づいて現在時刻に関する時刻情報を検出する。この場合、衛星からの精密な信号を利用して正確な時刻を判定することができ、プロジェクタを正確な時刻管理下で動作させることができる。
【００１４】
本発明の別の具体的態様では、所定のネットワークシステムとの間で通信可能に接続される通信制御装置をさらに備え、当該通信制御装置を介して所定のネットワークシステムに現在時刻に関する情報を提供する。この場合、プロジェクタを時刻に関する基準を与えるＮＴＰサーバ等として活用することができる。
【００１５】
本発明の別の具体的態様では、制御装置が、位置検出装置で検出された位置情報及び時刻情報に基づいてプロジェクタ本体が使用される明暗に関する環境情報を判断し、当該環境情報に基づいてプロジェクタ本体の表示モードを設定する。この場合、プロジェクタ本体が昼間使用されているか夜間使用されているかを判定することができ、各時刻帯の明るさに適合した画像投影が可能になる。具体的には、昼間は明るさ重視モードで表示し、夜間は色合い重視モードで表示するなど、時刻帯に応じて自動的に表示モードを切り替えることができる。
【００１６】
本発明の別の具体的態様では、制御装置が、位置検出装置で検出された位置情報に基づいて、プロジェクタ本体の動作状態のうち仕向け先に関する動作モードを自動的に設定する。この場合、プロジェクタの輸出先等の仕向け先の仕様に適合した動作モードが自動的に設定され、プロジェクタの組立工程の最終段階で行う仕向け先設定の工程を省略又は簡略化することができる。
【００１７】
本発明の別の具体的態様では、制御装置が、位置検出装置で検出された位置情報が変化した場合、プロジェクタ本体の動作状態の設定を変更する。これにより、プロジェクタが移動し、標高、地域が変動した場合にも、新たな標高、地域に適合させてプロジェクタの適切な動作を確保することができる。
【００１８】
本発明の別の具体的態様では、制御装置が、位置検出装置で検出された位置情報が変化した場合、プロジェクタ本体の動作を制限する。プロジェクタが盗難等によって許可なく持ち出された可能性があるものと判断して動作を制限することで、盗難等の被害に対する抑止効果を期待することができる。
【００１９】
本発明の別の具体的態様では、制御装置が、パスワードの入力によって動作の制限を解除する。この場合、許可を得て持ち出されたプロジェクタの動作を確保することができる。
【００２０】
本発明の別の具体的態様では、所定のネットワークシステムとの間で通信可能に接続される通信制御装置をさらに備え、当該通信制御装置を介して所定のネットワークシステムに位置情報を提供する。この場合、衛星を利用した位置情報を共有することができる。
【００２１】
本発明の別の具体的態様では、所定のネットワークシステムとの間で通信可能に接続される通信制御装置をさらに備え、当該通信制御装置を介して所定のネットワークに接続された他のプロジェクタから位置情報を取得するとともに、当該位置情報に基づいて空冷装置の動作状態を調節する。これにより、特定のプロジェクタで位置情報（具体的には標高情報）が取得できない場合であっても、他のプロジェクタからの位置情報に基づいて空冷装置を適宜動作させることができる。
【発明を実施するための最良の形態】
【００２２】
図１は、本発明の一実施形態に係るプロジェクタを概念的に説明するブロック図である。このプロジェクタ１０は、光学エンジンユニットとも呼ばれる本体光学装置１１と、ランプ光源等に電力を供給する電源装置１４と、ランプ光源等を空冷するための冷却ファンユニット１５，１６と、装置全体の動作を制御するための回路装置１７と、装置全体を覆う外装ケース１９とを備える。なお、回路装置１７は、プリント基板上に搭載された電子部品からなり、外装ケース１９内の適所に収められるものであるが、図面では便宜上外装ケース１９外に表示している。
【００２３】
このうち、本体光学装置１１は、光源光を均一化した照明光を発生する光源装置３０と、光源装置３０を経た照明光を赤・緑・青の３色に分割する分割照明系４０と、分割照明系４０から射出された各色の照明光によって照明される光変調部５０と、光変調部５０を経た各色の変調光を合成するクロスダイクロイックプリズム６０と、クロスダイクロイックプリズム６０から射出された像光をスクリーン（不図示）に投射する投射レンズ７０とを備える。これらの光源装置３０、分割照明系４０、光変調部５０、クロスダイクロイックプリズム６０、及び投射レンズ７０は、映像光学系を構成し、遮光性を有するケース部材１１ａ中に略全体が収納されている。
【００２４】
ここで、光源装置３０は、略点状の発光部を形成するランプ光源３１と、パラボラその他の表面形状を有しランプ光源３１からの光源光を反射する凹面鏡３２と、凹面鏡３２で反射された光源光を均一な照明光とする均一化光学系３３とを備える。このうち、ランプ光源３１は、例えば高圧水銀ランプ等のランプ光源からなり、略白色の光源光を発生する。また、凹面鏡３２は、ランプ光源３１から放射される光線を反射して、略平行光束として均一化光学系３３に入射させる。均一化光学系３３は、詳細な説明は省略するが、フライアイ状の一対のレンズアレイと、レンズアレイによる波面分割光を重ね合わせるための重畳レンズと、照明光を所定の偏光成分に変換する偏光変換部材とを備える。
【００２５】
分割照明系４０は、各色の照明光を形成する色分離光学系であり、第１及び第２ダイクロイックミラー４１ａ，４１ｂと、反射ミラー４２ａ，４２ｂ，４２ｃとを備える。この分割照明系４０は、均一化光学系３３を経た照明光を赤色光、青色光、及び緑色光の３つの光束に分離する。すなわち、第１ダイクロイックミラー４１ａは、赤・青・緑（Ｒ・Ｇ・Ｂ）の３色のうち赤色光ＬＲを反射し、青色光ＬＢと緑色光ＬＧとを透過させる。また、第２ダイクロイックミラー４１ｂは、入射した青色光ＬＢ及び緑色光ＬＧのうち青色光ＬＢを反射し緑色光ＬＧを透過させる。なお、図示を省略しているが、緑色光ＬＧの光路上の反射ミラー４２ｂ，４２ｃの周辺には、緑色と他の色との光路差を補償するためのリレーレンズが配置されている。また、分割照明系４０の出力部、すなわち３つのミラー４２ａ，４１ｂ，４２ｃの射出側には、各色の液晶パネル５１ｒ，５１ｂ，５１ｇに対向してフィールドレンズが配置されている。
【００２６】
光変調部５０は、３色の照明光ＬＲ，ＬＢ，ＬＧがそれぞれ入射する３つの液晶パネル（液晶表示パネル）５１ｒ，５１ｂ，５１ｇを備える。なお、図示を省略しているが、各液晶パネル５１ｒ，５１ｂ，５１ｇを挟むように３組の偏光フィルタが配置されている。各液晶パネル５１ｒ，５１ｂ，５１ｇとこれらを挟む一対の偏光フィルタとは、各色の照明光ＬＲ，ＬＢ，ＬＧを画素単位でそれぞれ変調する各色用の液晶ライトバルブを構成する。
【００２７】
この光変調部５０において、反射ミラー４２ａで反射された赤色光ＬＲは、液晶パネル５１ｒの画像形成領域に入射し、ダイクロイックミラー４１ｂで反射された青色光ＬＢは、液晶パネル５１ｂの画像形成領域に入射し、反射ミラー４２ｃで反射された緑色光ＬＧは、液晶パネル５１ｇの画像形成領域に入射する。各液晶パネル５１ｒ，５１ｂ，５１ｇは、入射した照明光に対してその偏光方向の空間的分布を変化させる。つまり、各液晶パネル５１ｒ，５１ｂ，５１ｇにそれぞれ入射した各色光ＬＲ，ＬＢ，ＬＧは、各液晶パネル５１ｒ，５１ｂ，５１ｇに電気的信号として入力された駆動信号或いは制御信号に応じて、画素単位で偏光状態が調整され、不図示の偏光フィルタの通過に伴って画素単位で強度変調される。
【００２８】
クロスダイクロイックプリズム６０は、カラー画像を合成するための光合成光学系であり、その内部には、赤色光反射用の第１ダイクロイック膜（具体的には誘電体多層膜）６１と、緑色光反射用の第２ダイクロイック膜（具体的には誘電体多層膜）６２とが、Ｘ字状に配置されている。このクロスダイクロイックプリズム６０は、液晶パネル５１ｒからの赤色光ＬＲを第１ダイクロイック膜６１で反射して進行方向右側に射出させ、液晶パネル５１ｂからの青色光ＬＢを両ダイクロイック膜６１，６２を介して直進・射出させ、液晶パネル５１ｇからの緑色光ＬＧを第２ダイクロイック膜６２で反射して進行方向左側に射出させる。
【００２９】
このようにクロスダイクロイックプリズム６０で合成された像光は、投射光学系である投射レンズ７０を経て、適当な拡大率でスクリーン（不図示）にカラー画像として投射される。
【００３０】
電源装置１４は、光源装置３０に設けたランプ光源３１を所望の輝度で点灯させるとともに、冷却ファンユニット１５，１６や回路装置１７に適当な電力を供給する。なお、冷却ファンユニット１５，１６及び回路装置１７用に電源装置１４とは別の電源を設けることもできる。
【００３１】
冷却ファンユニット１５は、ファン、モータ等を備え、回路装置１７からの制御信号に基づいて、適当な流量で排気動作を行う。冷却ファンユニット１５は、最も加熱される光源装置３０の近くに配置されており、ランプ光源３１を冷却した後の空気を外装ケース１９外に直接排気する。一方、冷却ファンユニット１６は、ファン、モータ、防塵フィルタ等を備え、回路装置１７からの制御信号に基づいて、外気を適当な流量で取り込む。冷却ファンユニット１６は、光変調部５０の近くに配置されており、液晶パネル５１ｒ，５１ｂ，５１ｇの周辺に一定の気流を形成するとともに外装ケース１９内のその他の部品を冷却する。つまり、両冷却ファンユニット１５，１６によって外装ケース１９内に循環する気流が形成され、特に冷却ファンユニット１６によって液晶パネル５１ｒ，５１ｂ，５１ｇが優先的に冷却され、また冷却ファンユニット１５によってランプ光源３１の冷却後の空気が他の部品を加熱することを防止している。以上により、液晶パネル５１ｒ，５１ｂ，５１ｇの動作を安定化して高品位の画像を投影することができ、また、光源装置３０の動作を安定化してその寿命を長くすることができる。
【００３２】
回路装置１７は、ビデオ信号等の外部画像信号が入力される画像処理部８１と、画像処理部８１の出力に基づいて各液晶パネル５１ｒ，５１ｂ，５１ｇを駆動するパネル駆動部８２と、温度センサ９１の検出結果に応じて冷却ファンユニット１５を動作させるファン駆動部８３と、アンテナ９２を介してＧＰＳ(global positioning system)衛星からの電波信号を受けるＧＰＳ受信処理装置８４と、ルータ等のコンピュータ通信手段を有する通信制御部８５と、追尾用の電波を発生する発信装置８６と、これらの回路部分８１，８３，８４，８５、８６等の動作を統括的に制御する主制御部８８とを備える。ここで、画像処理部８１及びパネル駆動部８２は、映像光学系である本体光学装置１１を直接動作させる映像回路として機能する。つまり、本体光学装置１１、画像処理部８１、パネル駆動部８２等は、画像を表示するためのプロジェクタ本体となっている。なお、主制御部８８には、直接的又は間接的にキー入力部９３が接続されており、ユーザの意思を反映したコマンドやデータ等を主制御部８８に対して送出することができるようになっている。
【００３３】
回路装置１７において、画像処理部８１は、入力された外部画像信号に対して適宜補正を行う補正部８１ａと、外部画像信号に代えて或いは重畳して文字情報等を表示するＯＳＤＣ部８１ｂとを備える。前者の補正部８１ａは、主制御部８８からの指令に基づいて、外部画像信号に対して色補正や歪補正等の各種画像処理を行う。具体的には、入力された外部画像信号が映画等に関するものである場合、例えば色合いを重視した表示モードとなるような画像処理や、色温度を低くするといった画像処理が行われる。一方、入力された外部画像信号がパソコンからのデジタルデータ等に関するものである場合、例えば明るさ重視した表示モードとなるような画像処理や、色温度を高くするといった画像処理が行われる。後者のＯＳＤＣ部８１ｂは、主制御部８８からの指令に基づいて、プロジェクタ１０の動作状態等に関する各種データを画面上に表示するためのものである。つまり、ＯＳＤＣ部８１ｂは、外部画像信号とは関係のない文字、図形等を含む各種表示情報に相当数する変調を各液晶パネル５１ｒ，５１ｂ，５１ｇに対して行い、投射レンズ７０を介してスクリーン上に上記各種表示情報を投影する。
【００３４】
パネル駆動部８２は、画像処理部８１から出力された画像処理後の画像信号に基づいて各液晶パネル５１ｒ，５１ｂ，５１ｇの状態を調節する駆動信号を発生する。これにより、画像処理部８１から入力された画像信号に対応して、液晶パネル５１ｒ，５１ｂ，５１ｇ及びこれらに付随する偏光板からなるライトバルブにおいて、透過率分布としての画像を形成することができる。
【００３５】
ファン駆動部８３は、冷却ファンユニット１５，１６をフィードバック制御等を利用して適宜動作させるためのものであり、温度センサ９１によって検出したランプ光源３１の温度等に基づいて、冷却ファンユニット１５，１６に設けたファンの回転数を調整する。ここで、ファン駆動部８３は、プロジェクタ１０の設置場所の標高に関連付けて冷却ファンユニット１５，１６の動作状態を切り替えることができるようになっており、主制御部８８から指定された特定の駆動モードに応じて動作するようになっている。すなわち、主制御部８８は、ファン駆動部８３に対して冷却ファンユニット１５，１６の動作パラメータを出力するようになっている。なお、ファン駆動部８３は、冷却ファンユニット１５，１６とともに空冷装置を構成する。
【００３６】
図２は、冷却ファンユニット１５の動作の一例を示す。グラフからも明らかなように、温度センサ９１によって検出したランプ光源３１の温度が上昇するに従って冷却ファンユニット１５の回転数が上昇するような設定となっている。なお、実線は標高が比較的低い場所用に設定した動作パラメータによる制御（駆動モード）を示し、点線は標高が比較的高い場所に設定した動作パラメータによる制御（駆動モード）を示す。このように標高の高低に応じて動作パラメータ切り替えることにより、気圧の低い高所で冷却ファンユニット１５による冷却効率が低下することを補償することができる。
【００３７】
なお、詳細な説明は省略するが、冷却ファンユニット１６の動作も、外装ケース１９内が極端な陽圧や負圧とならないように、冷却ファンユニット１５と同様のものとする。
【００３８】
図１に戻って、ＧＰＳ受信処理装置８４は、複数のＧＰＳ衛星からの電波信号をアンテナ９２を介して同時若しくは時系列で受信することによって、単独測位と時刻計測を可能にする位置検出装置である。このため、ＧＰＳ受信処理装置８４は、詳細な説明を省略するが、ＧＰＳ受信器とデータ処理回路とを備え、各ＧＰＳ衛星からＧＰＳ受信処理装置８４までの距離を求め、これらの距離からプロジェクタ１０の設置場所に関して３次元的な位置座標を得ることができる。ＧＰＳ受信処理装置８４は、このようにして得た測位データ（位置情報）と時刻データ（時刻情報）とを数分間隔で主制御部８８に出力する。
【００３９】
通信制御部８５は、ネットワークカード、ルータ等の電子回路によって構成される通信制御装置であり、インターネットその他のコンピュータネットワークとの間において、ＴＣＰ/ＩＰその他のプロトコルを利用したセキュリティの高いデータ通信を可能にしている。この通信制御部８５により、プロジェクタ１０をコンピュータネットワーク上のＮＴＰ(network time protocol)サーバ等として機能させることができる。
【００４０】
図３は、図１のプロジェクタ１０を組み込んだコンピュータネットワークを概念的に説明する図である。このコンピュータネットワーク１００は、例えば企業の営業所、工場等を単位として設置されるものであり、データ通信回線１０１を介して相互に接続された多数のコンピュータ１０２を備える。なお、プロジェクタ１０’は、プロジェクタ１０と同一構造を有する。図１で説明したプロジェクタ１０は、データ通信回線１０１に他のコンピュータ１０２やプロジェクタ１０’とともに接続されており、各コンピュータ１０２や他のプロジェクタ１０’との間でデータ信号の授受を行う。これにより、プロジェクタ１０をコンピュータネットワーク１００上のＮＴＰサーバ等として機能させることができ、クライアントとしての各コンピュータ１０２との間で時刻同期をとることができる。すなわち、ＧＰＳ受信処理装置８４で得た高精度の時刻データをコンピュータネットワーク１００上のクライアント装置である各コンピュータ１０２や他のプロジェクタ１０’に配信することができ、コンピュータネットワーク１００内で正確な時刻を共有することができるので、ネットワーク１００内の各コンピュータ１０２の動作の整合性を確保することができる。また、プロジェクタ１０は、ＧＰＳ受信処理装置８４で得た位置情報をコンピュータネットワーク１００上のクライアント装置である各コンピュータ１０２や他のプロジェクタ１０’に配信することもできる。
【００４１】
なお、プロジェクタ１０や各コンピュータ１０２には、ＩＰアドレスその他の固有のアドレスが設定されている。いずれかのコンピュータ１０２が時刻の同期をとる際には、プロジェクタ１０にアクセスしてプロジェクタ１０がＧＰＳ衛星にシンクロした時刻データを有するか否かを確認する。コンピュータ１０２は、プロジェクタ１０がＧＰＳ衛星にシンクロしていることを確認した場合、このプロジェクタ１０から時刻データを取り込む。なお、コンピュータネットワーク１００に接続されるプロジェクタ１０は１台に限らず複数台とすることができる。この場合、複数のプロジェクタに優先順位を設けて、優先順位の上記から時刻データを取り込むこととすることもできる。
【００４２】
図１に戻って、発信装置８６は、プロジェクタ１０の盗難に備えたものであり、アンテナ９５を介して所定周波数の電波を発生する。この電波は、プロジェクタ１０から一定距離内にある探知器によって検出可能であり、盗難の対象となったプロジェクタ１０の捜索に利用される。
【００４３】
主制御部８８は、制御装置としてプロジェクタ１０の全体的な動作を制御するものであり、マイクロコンピュータ等からなるとともに、プロジェクタ１０の動作に必要な各種データを保持する記憶部８８ａを内蔵する。なお、主制御部８８に接続されたキー入力部９３は、主制御部８８に対してユーザの指示を入力するための入力装置として機能する。また、画像処理部８１に設けたＯＳＤＣ部８１ｂ、パネル駆動部８２、液晶パネル５１ｒ，５１ｂ，５１ｇ等は、主制御部８８による処理結果等の情報をユーザに提示するＧＵＩ型の入力補助装置として機能する。
【００４４】
以下、プロジェクタ１０の主な動作を主制御部８８の動作の説明を中心として説明する。
【００４５】
図４は、本プロジェクタ１０によるＧＰＳ計測を概念的に説明するフローチャートである。まず、主制御部８８は、ＧＰＳ受信処理装置８４を動作させて、一連のＧＰＳ衛星から送信される信号（すなわち計測データ）の取り込みを行わせる（ステップＳ１１）。これに伴って、ＧＰＳ受信処理装置８４は、主制御部８８からの指令に基づいてＧＰＳ衛星から計測データを取り込みを試みるが、計測データの取り込みが不可能又は不完全な場合（ステップＳ１２）は、ステップＳ１１に戻って計測データの取り込みを再度行う。一方、計測データの取り込みが可能な場合、主制御部８８は、ＧＰＳ受信処理装置８４において取り込んだ計測データから測位データと時刻データとを算出させる（ステップＳ１３）。次に、主制御部８８は、ステップＳ１３で得た時刻データすなわちＧＰＳ時刻に基づいて、主制御部８８に内蔵されたタイマの調整を行う（ステップＳ１４）。この際、プロジェクタ１０の設置場所が日本であれば、日本の標準時となるように時刻変換が行われ、他の国ならば、その国の標準時となるように時刻変換が行われる。なお、プロジェクタ１０がいずれの国にあるかは、ステップＳ１３で得た測位データに基づいて判断することができる。次に、主制御部８８は、記憶部８８ａに保管されたプロジェクタ１０の測位データを更新する（ステップＳ１５）。以上により、ＧＰＳ衛星からの信号を受信できる限り、測位データとして、常に最新の位置情報（緯度・経度情報）と標高情報とをプロジェクタ１０内に保持することができる。なお、古い測位データも一定期間保管される。
【００４６】
図５は、本プロジェクタ１０における冷却ファンユニット１５，１６の制御を概念的に説明するフローチャートである。まず、主制御部８８は、記憶部８８ａを参照してＧＰＳ利用型の標高制御モードが設定されているか否かを判断する（ステップＳ２１）。ＧＰＳ利用型の標高制御モードが設定されていない場合、主制御部８８は、ファン駆動部８３に適当なパラメータの駆動モードを設定し、高度に関係なく温度センサ９１で検出したランプ光源３１の温度のみに基づいて、冷却ファンユニット１５，１６を駆動する（ステップＳ２２）。一方、ＧＰＳ利用型の標高制御モードが設定されている場合、主制御部８８は、記憶部８８ａに保管された最新の測位データを取り込んで（ステップＳ２３）、これからプロジェクタ１０を設置している場所の標高範囲を決定する（ステップＳ２４）。上述の標高範囲は、多数段階設ける必要はなく、例えば（１）１４００ｍ未満、（２）１４００ｍ以上といった２段階の分け方も可能である。次に、主制御部８８は、決定された標高範囲に応じて、ファン駆動部８３に適当なパラメータの駆動モードを設定する（ステップＳ２５）。なお、標高に応じて設置される駆動モードについては、図２のグラフに例示されるようなものとするが、例示のものに限らず、プロジェクタ１０の仕様に応じて適切なものに変更することができる。また、ステップＳ２３で確認したプロジェクタ１０の標高が閾値近傍で頻繁に変化する場合、一定のマージンを設けて、標高範囲の頻繁な切換えを防止することもできる。最後に、ファン駆動部８３は、標高に応じて設置された駆動モードに応じてファン駆動部８３を動作させ、ランプ光源３１の温度に応じて冷却ファンユニット１５，１６を適切な状態で動作させる（ステップＳ２６）。
【００４７】
図６は、本プロジェクタ１０における盗難防止機能を概念的に説明するフローチャートである。まず、主制御部８８は、記憶部８８ａに漸次保管された測位データを取り込んで、測位データが経時的に変化しているか否かを判断する（ステップＳ３１）。例えば測位データが一回の測定ごとに数１０ｍ以上変化したり、一日に数１００ｍ以上変化した場合には、プロジェクタ１０が盗難等によって搬送されつつあるものとして以後の処理を行う。一方、測位データが変化しない場合、測位データの経時的変化のチェックを繰返す（ステップＳ３１）。主制御部８８は、測位データが経時的に変化したと判断した場合、記憶部８８ａを参照して盗難ロックモードが設定されているか否かを判断する（ステップＳ３２）。盗難ロックモードが設定されている場合、主制御部８８は、画像処理部８１の動作を禁止するなどして、プロジェクタ１０の画像投射機能を停止する（ステップＳ３３）。さらに、この場合、プロジェクタ１０が盗難によって搬送されつつあるものとして、発信装置８６を動作させ特定周波数の比較的微弱な電波を出力させる（ステップＳ３４）。これにより、元の所有者等は、プロジェクタ１０の所在を比較的近距離の範囲内で探索することができる。次に、主制御部８８は、キー入力部９３の操作によってプロジェクタ１０の盗難ロックを解除する要求があったか否かを判断する（ステップＳ３５）。キー入力部９３の操作がなければ盗難ロックが維持され、キー入力部９３について所定の操作があれば、主制御部８８は、画像処理部８１のＯＳＤＣ部８１ｂを機能させることにより、光変調部５０、投射レンズ７０等を介してスクリーン上にパスワードを要求する表示を行う（ステップＳ３６）。なお、プロジェクタ１０が動作していない場合、パスワード要求の表示は行わない。パスワード要求の表示がなされた場合、ユーザ等は、キー入力部９３の操作によってパスワードを入力する。この場合、主制御部８８は、入力されたパスワードが適切であるか否かを判定し（ステップＳ３７）、パスワードが適切でなければパスワードを要求を維持し（ステップＳ３６）、パスワードが適切であればステップＳ３３で停止したプロジェクタ１０の画像投射機能を回復する（ステップＳ３８）。なお、図示のフローチャートでは説明を省略したが、所定回数不正なパスワードが使用された場合、主制御部８８は、処理を終了してプロジェクタ１０の機能停止を維持する。以上の説明において、ステップＳ３１〜Ｓ３４の動作は、プロジェクタ１０に内蔵する内部バッテリ（不図示）によって実行することができる。
【００４８】
図７は、本プロジェクタ１０における仕向け先設定の自動化を概念的に説明するフローチャートである。まず、主制御部８８は、電源起動に伴って、記憶部８８ａを参照して仕向け先設定の自動化モードが設定されているか否かを判断する（ステップＳ４１）。なお、主制御部８８は、工場出荷後の初期化状態で、自動化モードで動作するように設定されている。こうして、自動化モードが設定されている場合、主制御部８８は、記憶部８８ａに保管されたプロジェクタ１０の測位データを取り込んで（ステップＳ４２）、この測位データからプロジェクタ１０を設置している国名やエリア名を決定する（ステップＳ４３）。プロジェクタ１０の設置国の区別は、詳細なものである必要はなく、例えば日本とその他といった区別でもよい。次に、主制御部８８は、決定された設置国の種類に応じて、プロジェクタ１０の動作モードを設定する（ステップＳ４４）。例えば、画像処理部８１の補正部８１ａによって行われる色温度の調節の初期値を日本とその他の国とで異なるものとすることができる。また、画像処理部８１のＯＳＤＣ部８１ｂによって行われる文字表示に際しての言語を日本とその他の国とで異なるものとすることができる。具体的には、測位データが日本国内を表示する場合には、日本語表示を行い、測位データが日本国外を表示する場合には、英語表示を行うといった仕様が可能である。
【００４９】
図８は、本プロジェクタ１０における表示画像の色合い設定の自動化を概念的に説明するフローチャートである。まず、主制御部８８は、記憶部８８ａを参照して色合いの自動設定モードが選択・設定されているか否かを判断する（ステップＳ５１）。自動設定モードが選択・設定されている場合、主制御部８８は、記憶部８８ａに保管されたの測位データ及び時刻データを取り込んで（ステップＳ５２）、これらデータからプロジェクタ１０を設置している場所の緯度や経度と、ＧＰＳ時刻とに基づいて、設置場所における明暗に関する環境情報として時刻帯を判定する。具体的には、昼間、夜間、境界（朝、夕）時刻帯のいずれにあるかの判定する（ステップＳ５３）。次に、主制御部８８は、決定された時刻帯に応じて、プロジェクタ１０の動作モードすなわち表示モードを設定する（ステップＳ５４）。例えば、例えば夜間であれば色合いを重視した表示モードとなるような画像処理を画像処理部８１に行わせ、中間であれば明るさ重視した表示モードとなるような画像処理を画像処理部８１に行わせ、境界時刻帯の場合、中間の表示モードとなるような画像処理を行わせることができる。
【００５０】
なお、この発明は、上記の実施形態に限られるものではなく、その要旨を逸脱しない範囲において種々の態様で実施することが可能であり、例えば次のような変形も可能である。
【００５１】
例えば、上記実施形態では、ＧＰＳ受信処理装置８４において単独測位を行っているが、図３のようなコンピュータネットワーク１００を利用することにより、基準局との位置差を計測すする相対測位も可能になり、位置計測精度を向上させることができる。
【００５２】
また、上記実施形態では、３色の液晶パネル５１ｒ，５１ｂ，５１ｇによる像を合成する場合について説明したが、カラータイプの液晶パネルを直接投影する場合も、図１の回路装置１７と同様の回路装置によって、上記実施形態同様の測位、時刻合わせ、冷却ファン制御、盗難防止等が可能である。
【００５３】
また、上記実施形態では、透過型のプロジェクタに本発明を適用した場合の例について説明したが、本発明は、反射型プロジェクタにも適用することが可能である。ここで、「透過型」とは、液晶パネル等を含むライトバルブが光を透過するタイプであることを意味しており、「反射型」とは、ライトバルブが光を反射するタイプであることを意味している。反射型プロジェクタの場合、ライトバルブは液晶パネルのみによって構成することが可能であり、一対の偏光板は不要である。なお、光変調装置は液晶パネル等に限られず、例えばマイクロミラーを用いた光変調装置であってもよい。
【００５４】
また、プロジェクタとしては、投射面を観察する方向から画像投射を行う前面プロジェクタと、投射面を観察する方向とは反対側から画像投射を行う背面プロジェクタとがあるが、図１に示すプロジェクタの構成は、いずれにも適用可能である。
【００５５】
また、プロジェクタ１０が自分で位置情報を受信できない場合は、ネットワーク１０１に接続された他のプロジェクタ１０’の受信した位置情報に含まれる標高情報に基づいて、ファン駆動部８３や冷却ファンユニット１５，１６を含む空冷装置の動作を調整することも可能である。例えばビルの中などでＧＰＳの受信状態が悪い時でも、企業の営業所や工場等を単位として設置されたネットワーク１０１の範囲では標高などはほとんど同じであるため、他のプロジェクタ１０’で受信できた位置情報を用いれば、プロジェクタ１０自身の位置情報を受信できたものと同じような調整が可能となる。
【図面の簡単な説明】
【００５６】
【図１】第１実施形態に係るプロジェクタの構造を示すブロック図である。
【図２】冷却ファンユニットの動作の一例を示すグラフである。
【図３】図１のプロジェクタを組み込んだネットワークを説明する図である。
【図４】本プロジェクタによるＧＰＳ計測を説明するフローチャートである。
【図５】冷却ファンユニットの制御を説明するフローチャートである。
【図６】盗難防止機能を説明するフローチャートである。
【図７】仕向け先設定の自動化を説明するフローチャートである。
【図８】表示画像の色合い設定の自動化を説明するフローチャートである。
【符号の説明】
【００５７】
１０…プロジェクタ、  １１…本体光学装置、  １４…電源装置、  １５，１６…冷却ファンユニット、  １７…回路装置、  ３０…光源装置、  ３１…ランプ光源、  ４０…分割照明系、  ４１ａ，４１ｂ…ダイクロイックミラー、  ５０…光変調部、  ５１ｒ，５１ｂ，５１ｇ…液晶パネル、  ６０…クロスダイクロイックプリズム、  ７０…投射レンズ、  ８１…画像処理部、  ８２…パネル駆動部、  ８３…ファン駆動部、  ８４…ＧＰＳ受信処理装置、  ８５…通信制御部、  ８６…発信装置、  ８８…主制御部、  ９１…温度センサ、  ９３…キー入力部
【図１】
2006293120.tif 000003
【図２】
2006293120.tif 000004
【図３】
2006293120.tif 000005
【図４】
2006293120.tif 000006
【図５】
2006293120.tif 000007
【図６】
2006293120.tif 000008
【図７】
2006293120.tif 000009
【図８】
2006293120.tif 000010